(57)【要約】      （修正有）【課題】収納容器、基板の収納方法及びそれを有する表示装置を提供する。【解決手段】収納容器１０は底部１００及び収納部２００を含む。底部１００は第１側部及び第１側面３１０に対向する第２側面３２０を有する基板３００を搭載する第１領域１１０と、第１領域１１０を取り囲む第２領域１２０と、を含む。収納部２００は第２領域１２０から第１領域１１０に突出され第１側面３１０を支持する第１支持部２１０と、第２領域１２０から第１領域１１０に突出され第２側面３２０を支持する第２支持部２２０と、を含む。従って、基板３００の収納容器１０に対する組立工程が単純化され、基板３００の収納容器１０に対する組立工程の生産性が向上される。【選択図】図１
2006222424.tif 000002
【特許請求の範囲】
【請求項１】
第１側面と前記第１側面の反対側の側面である第２側面とを有する基板が搭載される第１領域及び前記第１領域を取り囲む第２領域を含む底部と、
前記第２領域から前記第１領域に突出され前記第１側面を支持する第１支持部及び前記第２領域から前記第１領域に突出され前記第２側面を支持する第２支持部を有する収納部と、
を含むことを特徴とする収納容器。  
【請求項２】
前記第１支持部は、前記第２支持部と向き合うことを特徴とする請求項１記載の収納容器。
【請求項３】
前記第１支持部は、Ｌ字形状を有することを特徴とする請求項１記載の収納容器。
【請求項４】
前記第１支持部は、前記底部に対して略平行であり前記第１側面の周辺のずれを防止する第１固定部と、前記第１固定部を前記底部に連結させる第１連結部と、を含むことを特徴とする請求項１記載の収納容器。
【請求項５】
前記第１固定部は前記底部に対向する面に配置された第１結合部を含み、前記第１結合部は前記基板に形成された第２結合部と結合されるように構成されたことを特徴とする請求項４記載の収納容器。
【請求項６】
前記第１結合部は、結合溝である前記第２結合部と結合されるように構成された結合突起であることを特徴とする請求項４記載の収納容器。
【請求項７】
前記結合突起の下部面は、前記第１固定部の下部面に対して傾いていることを特徴とする請求項６記載の収納容器。  
【請求項８】
前記第１結合部は、結合溝である前記第２結合部と結合されるように構成された結合突起であることを特徴とする請求項５記載の収納容器。
【請求項９】
前記第１支持部は複数個からなり、前記第１支持部は相互離隔されることを特徴とする請求項１記載の収納容器。
【請求項１０】
前記第２支持部は複数個からなり、前記第１及び第２支持部はそれぞれ向き合うことを特徴とする請求項９記載の収納容器。
【請求項１１】
前記第２支持部は複数個からなり、前記第１及び第２支持部は、平面から見たとき、互いに交互的に配置されたことを特徴とする請求項９記載の収納容器。
【請求項１２】
前記第１支持部の数と前記第２支持部の数は、互いに異なることを特徴とする請求項９記載の収納容器。
【請求項１３】
前記第１支持部は複数個からなり、前記第１支持部は前記第１側面の両側端部に対応して配置されることを特徴とする請求項１記載の収納容器。
【請求項１４】
前記第２支持部は、前記底部に対して実質的に平行で前記第２側面の周辺部のずれを防止する第２固定部と、前記第２固定部を前記底部に連結させる第２連結部と、を含むことを特徴とする請求項１記載の収納容器。
【請求項１５】
前記第２連結部は、前記第２側面に対して略平行であり、前記第２固定部の長さは前記第２側面の長さと実質的に同一であることを特徴とする請求項１４記載の収納容器。
【請求項１６】
前記底部と前記底部と略平行である前記基板との間の段差を減少させるために、前記底部に溝が形成されることを特徴とする請求項１記載の収納容器。
【請求項１７】
前記溝は、前記基板の形状に対応する形状を有することを特徴とする請求項１６記載の収納容器。
【請求項１８】
前記第１支持部、第２支持部、または前記第１支持部及び第２支持部全部は、収納溝の上部エッジから前記収納溝の中心に向かって前記底部と略平行に突出され前記基板を前記収納溝に固定することを特徴とする請求項１６記載の収納容器。  
【請求項１９】
第１側面及び前記第１側面に対する第２側面を有する基板を収納する第１領域、及び第１領域を取り囲む第２領域を含む底部と、
前記第２領域から前記第１領域に突出され前記第１側面を収納する第１支持部、及び前記第２領域から前記第１領域に突出され前記第２側面を収納する第２支持部を有する収納部と、を含む収納容器に基板を収納する方法において、
前記第１側面を前記第１支持部に搭載し、
前記第２側面を前記第２支持部に搭載することを含むことを特徴とする基板の収納方法。
【請求項２０】
画像を表示する表示パネルと、
前記表示パネルに画像信号を印加し、第１側面及び前記第１側面に対向する第２側面を有するプリント回路基板と、
第１面に配置され、前記プリント回路基板が搭載される第１領域、及び第１領域を取り囲む第２領域を含む底部と、前記第２領域から第１領域に延長され第１側面を収納する第１支持部、及び前記第２領域から前記第１領域に延長され第２側面を支持する第２支持部を有する収納部とを具備する収納容器と、
を含むことを特徴とする表示装置。
【請求項２１】
前記第１及び第２支持部は複数個からなり、前記第１及び第２支持部は、平面から見たとき、互いに交互的に配置されることを特徴とする請求項２０記載の表示装置。
【請求項２２】
前記第１支持部は、前記底部に対して略平行し前記第１側面周辺のずれを防止する第１固定部と、前記第１固定部を前記底部に連結させる第１連結部と、を含むことを特徴とする請求項２０記載の表示装置。  
【請求項２３】
前記第１固定部は、前記プリント回路基板に対向する面に第１結合部を含み、前記プリント回路基板は前記第１結合部と結合する第２結合部を含むことを特徴とする請求項２２記載の表示装置。
【請求項２４】
前記第１結合部は結合突起であり、前記第２結合部は前記結合突起に結合される結合溝であることを特徴とする請求項２３記載の表示装置。
【請求項２５】
前記第２支持部は、前記底部に対して実質的に平行し前記第２側面周囲のずれを防止する第２固定部と、前記第２固定部を前記底部に連結させる第２連結部と、を含むことを特徴とする請求項２０記載の表示装置。
【請求項２６】
前記第２連結部は、前記第２側面に対して実質的に平行であり、前記第２固定部の長さは前記第２側面の長さと実質的に同一であることを特徴とする請求項２５記載の表示装置。
【請求項２７】
前記プリント回路基板と前記表示パネルとを電気的に連結させるフレキシブル回路基板をさらに含むことを特徴とする請求項２０記載の表示装置。
【請求項２８】
前記収納容器は、前記第１面に対向する第２面に配置され、前記表示パネルを支持するための段差を有する側壁をさらに含むことを特徴とする請求項２０記載の表示装置。
【発明の詳細な説明】
【技術分野】
【０００１】
本発明は収納容器、基板の収納方法及びそれを含む表示装置に関する。より詳細には、回路基板を堅固に搭載、収納する収納容器、基板の収納方法及びそれを含む表示装置に関する。
【背景技術】
【０００２】
一般的に、表示装置は相互対向する二つの表示基板を含む。二つの表示基板上にはそれぞれ電極が配置され、各電極には互いに異なる電圧が印加される。印加された電圧によって二つの基板の間に介在された液晶層には電気場が印加され、電気場によって液晶層の液晶分子が再配列され、それにより、液晶層を透過する光の透過率が変更される。従って、変更された液晶層の光透過率に従って表示装置は画像を表示する。
【０００３】
表示装置は液晶を制御して画像を表示する表示パネル、表示パネルに光を提供するバックライト組立体及び表示パネルに駆動信号を印加する駆動ユニットを含む。駆動ユニットは表示パネルに駆動信号を印加するために表示パネルと電気的に連結された回路基板を含む。回路基板は通常に表示パネルを搭載、収納する収納容器の一面に配置される。この場合、回路基板と収納容器とはスクリュー締結を通じて結合される。
【０００４】
しかし、回路基板を収納容器にスクリューで固定する場合、これらの組立工程数が増加し、その結果、回路基板の収納容器に結合するに必要な工程時間が長くなるという問題点がある。  
【発明の開示】
【発明が解決しようとする課題】
【０００５】
従って、本発明の目的は従来技術による一つまたはそれ以上の問題点及び制限を実質的に除去することにある。
【０００６】
本発明の一つの目的は、組立工程数及び組立工程時間を短縮させることができる収納容器を提供することにある。
【０００７】
本発明の他の目的は、前記収納容器を用いて基板を収納する方法を提供することにある。
【０００８】
本発明のさらに他の目的は、前記収納容器を含む表示装置を提供することにある。  
【課題を解決するための手段】
【０００９】
本発明の目的を実現するための一つの特徴による収納容器は底部及び収納部を含む。底部は、第１側面及び前記第１側面に対向する第２側面を有する基板を収納する第１領域と、前記第１領域を取り囲む第２領域とを含む。収納部は、前記第２領域から前記第１領域で突出され前記第１側面を支持する第１支持部と、前記第２領域から前記第１領域に突出され前記第２側面を支持する第２支持部とを含む。
【００１０】
また、本発明の他の目的を具現するために本発明による基板の収納方法は、第１側面及び前記第１側面に対向する第２側面を有する基板を搭載する第１領域、及び前記第１領域を取り囲む第２領域を含む底部と、前記第２領域から前記第１領域で突出され前記第１側面を支持する第１支持部、及び前記第２領域から前記第１領域に突出され前記第２側面を支持する第２支持部を有する収納部とを含む収納容器に基板を収納する方法において、前記第１側面を前記第１支持部に支持し、前記第２側面を前記第２支持部に支持することを含む。
【００１１】
また、本発明のさらに他の目的を具現するために本発明による表示装置は表示パネル、プリント回路基板及び収納容器を含む。表示パネルは画像を表示する。プリント回路基板は前記表示パネルに画像信号を印加し、第１側面及び前記第１側面に対向する第２側面を有する。収納容器は第１面に配置され、前記プリント回路基板を搭載する第１領域と前記第１領域を取り囲む第２領域を含む底部、及び前記第２領域から第１領域に延長され第１側面を支持する第１支持部と前記第２領域から前記第１領域に延長され第２側面を支持する第２支持部を有する収納部を含む。
【発明を実施するための最良の形態】
【００１２】
以下、図面を参照して本発明の望ましい一実施例をより詳細に説明する。本発明の多様な実施例のうち実質的に同一の部分に対する重複された説明は省略し、実質的に同一の部分に対しては同一の名称及び同一の参照符号を付与する。
【００１３】
（収納容器）
図１は本発明の望ましい実施例による収納容器の斜視図である。図２は図１に示された収納容器をI−I’線に沿って切断した断面図である。
【００１４】
図１及び図２に示すように、本発明の一実施例による収納容器１０は、底部１００及び基板３００を収納する収納部２００を含む。
【００１５】
基板３００は、例えば、プリント回路基板を含む。本実施例において、基板３００が、例えば、長方形フレート形状を有する場合、基板３００は長方形形状を有する底面及び底面に対向する上部面、底面と上部面とを連結する第１側面３１０、第１側面に対向する第２側面３２０、第１側面と第２側面とを連結させる第３及び第４側面３３０、３４０を含む。
【００１６】
底部１００は基板を収納する収納容器１０の一面上に形成される。
底部１００は基板３００を搭載する第１領域１１０及び第１領域を取り囲む第２領域１２０を含む。望ましくは、第１領域１１０の面積は基板３００の底面の面積と実質的に同一であることが望ましい。また、第１領域１１０の形状は基板３００の形状と相似形であることが望ましい。例えば、基板３００の形状が平面から見たとき、長方形の場合、第１領域１１０の形状もやはり長方形である。
【００１７】
収納部２００は底部１００上に配置され、基板３００を搭載する。本実施例において、収納部２００は第１支持部２１０及び第２支持部２２０を含む。
【００１８】
第１支持部２１０は第２領域１２０から第１領域１１０に向かって突出され、第１支持部２１０は、例えば、基板３００の第１側面３１０を支持する。他の実施例においては、第１支持部２１０は前述された目的に適合するように第１側面３１０に沿って任意の位置に配置される。
【００１９】
第１支持部２１０は、例えば、第１側面３１０の中央部に対応して形成することが望ましい。第１支持部２１０は第１固定部２１１及び第１連結部２１５を含む。
【００２０】
第１固定部２１１は底部１００の上部に配置され、底部１００に対して実質的に平行に配置される。第１固定部２１１は基板３００の第１側面３１０の周辺を加圧する。従って、第１固定部２１１は基板３００のずれを防止する。
【００２１】
第１連結部２１５は第１固定部２１１を底部１００に連結させる。第１連結部２１５は第１及び第２領域１１０、１２０の境界近傍に配置されてもよい。第１連結部２１５は底部１００に対して実質的に垂直に形成される。本実施例において、第１支持部２１０は、例えば、Ｌ字形状を有し、第１固定部２１１、第１連結部２１５及び底部１００によってこれらの間には開口が形成される。
【００２２】
第２支持部２２０は第２領域１２０から第１領域１１０に向かって突出され、第２支持部２２０は、例えば、基板３００の第２側面３２０を収納する。前記第１支持部２１０と類似に、前記第２支持部２２０は中央部に対応して形成される。本実施例において、第２支持部２２０は第２固定部２２１及び第２連結部２２５を含む。
【００２３】
第２固定部２２１は底部１００の上部に配置され、底部１００に対して実質的に平行に配置される。第２固定部２２１は基板３００の第２側面３２０の周辺を加圧する。従って、第２固定部２２１は基板３００のずれを防止する。
【００２４】
第２連結部２２５は第２固定部２２１を底部１００に連結させる。第２連結部２２５は第１及び第２領域１１０、１２０の境界近傍に配置される。第２連結部２２５は底部１００に対して実質的に垂直に形成される。従って、第２支持部２２０は、例えば、‘Ｌ’字形状を有し、第２固定部２２１、第２連結部２２５、及び底部１００によってこれらの間には開口が形成される。
【００２５】
本実施例において、第１及び第２支持部２１０、２２０は第１及び第２支持部２１０、２２０の開口が互いに向き合うように配置される。従って、第１支持部２１０が、例えば、第１側面３１０の中央に対応して配置される場合、第２支持部２２０も第２側面３２０の中央に対応して配置される。互いに向き合う第１及び第２支持部２１０、２２０を含む収納部２００は、基板３００を堅固に搭載、収納することができる。
【００２６】
図３は図２の‘Ａ’部分の拡大図である。
【００２７】
図３に示すように、基板３００の第１側面３１０及び第１支持部２１０の第１連結部２１５の内側面の間は互いに離隔され、以下、基板の第１側面３１０及び第１支持部２１０の第１連結部２１５の内側面の間の相互離隔距離を第１幅Ｗ１に定義する。一方、第２固定部２２１は基板３００の一部と重畳され、以下、第２固定部２２１の端部から基板３００の第２側面３２０までの重畳距離を第２幅Ｗ２に定義する。第１幅Ｗ１は第２幅Ｗ２以上であることが望ましい。
【００２８】
基板３００を収納部２００に結合するために、まず、基板３００の第２側面３２０は第２支持部２２０に挿入され、続いて、基板３００の第１側面３１０が第１支持部２１０に挿入され、基板３００は収納容器１０に収納される。
【００２９】
一方、基板３００の第１側面３１０が第１支持部２１０に先に挿入された後、基板の第２側面３２０が第２支持部２２０に挿入され、基板３００は収納容器１０に収納される。
【００３０】
図４は本発明の他の実施例による収納容器の斜視図である。
本発明の他の実施例による収納容器１０は第１及び第２支持部２１０、２２０を含む収納部２００を含む。第１支持部２１０は第１固定部２１１及び第１連結部２１５を含む。
【００３１】
第１固定部２１１は第１結合部２６１を含む。
【００３２】
実施例において、第１結合部２６１は底部１００と向き合う第１固定部２１１の第１面上に配置される。第１結合部２６１は第１面から底面に向かって突出された結合突起である。
【００３３】
望ましくは、結合突起２６１の厚さは第１固定部２１１の端部から第１連結部２１５に近づくほど増加する。従って、このような結合突起２６１を第１支持部２１０に形成することで、基板３００の第１側面３１０を第１支持部２１０により容易に収納することができる。
【００３４】
一方、基板３００は第１結合部２６１に結合される第２結合部３３１を含む。第２結合部３３１は第１結合部に対応して配置される。本実施例において、第２結合部３３１は結合突起に対応する結合溝である。
【００３５】
結合突起２１１及び結合溝を第１固定部２１１及び基板３００にそれぞれ形成することで、第１支持部２１０が基板３００をより堅固に収納する。特に、第１支持部２１０は底面１００の上方に基板３００を抑制する。
【００３６】
図４に示されたように、前記第１支持部２１０のみが前記第１及び第２結合部２６１、３３１を含む。他の実施例においては、前記第２支持部２２０のみが前記第１及び第２結合部２６１、３３１を含むことができる。別の実施例においては前記第１及び第２支持部２１０、２２０がいずれも第１及び第２結合部２６１、３３１を含むようにしてもよい。
【００３７】
図５は本発明のさらに他の実施例による収納容器の斜視図である。
本発明のさらに他の実施例による収納容器１０は第１及び第２支持部２１０、２２０を有する収納部２００を含む。第１支持部２１０は第１固定部２１１及び第１連結部２１５を含む。
【００３８】
第１固定部２１１は第１結合部２６３を含む。第１結合部２６３は底部１００と互いに向き合う第１固定部２１１の第１面に配置される。本実施例において、第１結合部２６３は第１面にリセスされた結合溝を含む。
【００３９】
一方、基板３００は第１結合部２６３に結合される第２結合部３３３を含む。第２結合部３３３は第１結合部２６３に対応して配置される。本実施例において、第２結合部３３３は結合溝２６３に結合される結合突起である。前記第１及び第１結合部２６３、３３３は前記第１支持部２１０が前記基板３００に堅固に固定できる限り、いかなる形態を採用しても良く、幾つ形成されてもよいのである。
【００４０】
結合溝２６３は結合突起３３３を第１固定部２１１及び基板３００上にそれぞれ形成することで、第１支持部２１０が基板３００をより堅固に収納する。特に、第１支持部２１０は底部１００の上方に基板３００の流動を抑制する。
【００４１】
図６は本発明のさらに他の実施例による収納容器の斜視図である。
図６に示すように、収納部２００は基板の第１側面３１０を収納する第１支持部２１０及び基板の第２側面３２０を収納する第２支持部２２０を含む。
【００４２】
本実施例において、第１支持部２１０は二つ以上の複数個からなり、第２支持部２２０も複数個からなる。複数個の第１及び第２支持部２１０、２２０は相互向き合うように配置される。従って、収納部２００は基板３００をより堅固に収納する。
【００４３】
図７は本発明のさらに他の実施例による収納容器の斜視図である。
【００４４】
図７に示すように、収納部２００は基板の第１側面３１０を支持する第１支持部２１０及び基板の第２側面３２０を支持する第２支持部２２０を含む。
【００４５】
本実施例において、第１支持部２１０は二つ以上の複数個からなり、第２支持部２２０も複数個からなる。複数個の第１及び第２支持部２１０、２２０は、平面から見たとき、互いに交互的に配置される。互いに交互的に配置された第１及び第２支持部２１０、２２０は基板３００に加えられる応力を均等に分散することで、収納部２００は基板３００のずれを減少させる。
【００４６】
図８は本発明のさらに他の実施例による収納容器の斜視図である。
【００４７】
図８に示すように、収納部２００は第１支持部２１０及び第２支持部２２０を含む。
【００４８】
第１支持部２１０は基板３００の第１側面３１０を支持する。本実施例において、基板３００が長方形プレート形状を有する場合、基板３００は底面及び底面に対向する上部面を含み、基板３００は底面と上部面とを連結する第１側面３１０、第１側面に対向する第２側面３２０、第１側面と第２側面を連結させる第３及び第４側面３３０、３４０をさらに含む。
【００４９】
本実施例において、第１支持部２１０は複数個からなる。複数個の第１支持部２１０は基板３００の第１側面３１０と第３側面３３０とが接する第１エッジ部及び基板３００の第１側面３１０と第４側面３４０とが接する第２エッジ部に対応してそれぞれ配置される。
【００５０】
それとは異なり、第２支持部２２０が複数個からなり、複数個の第２支持部２２０が第２側面３２０と第３側面３３０とが接する第３エッジ部及び第２側面３２０と第４側面３４０とが接する第４エッジ部に対応してそれぞれ配置される。
【００５１】
第１側面３１０と第３側面３３０及び第１側面３１０と第４側面３４０とが接するそれぞれの基板３００のエッジ部に対応して配置された複数の第１支持部２１０が基板３００の第１側面３１０を支持することで、収納部２００は基板３００のずれを防止することができる。
【００５２】
図９は本発明のさらに他の実施例による収納容器の斜視図である。
【００５３】
図９に示すように、収納部２００は第１支持部２１０及び第２支持部２２０を含む。
【００５４】
第２支持部２２０は、例えば、基板３００の第２側面３１０を収納する。第２支持部２２０は底部１００に対して実質的に平行に配置され基板３００の第２側面３２０の周辺のずれを防止する第２固定部２２１、及び第２固定部２２１と底部１００とを連結させる第２連結部２２５を含む。従って、第２支持部３１０は‘Ｌ’字形状を有する。
【００５５】
本実施例において、第２連結部２１５は基板の第２側面３２０に対して実質的に平行である。第２固定部２１１の長さは基板の第２側面３２０の長さと実質的に同一である。従って、第２支持部２１２０は基板の第２側面３２０を全面的にカバーすることで、第２支持部２１０が基板３００の第２側壁３２０をより堅固に支持する。前記収納部２２０は本発明の目的のための任意の長さ分だけ延長される。例えば、前記第２固定部２１１、前記第２連結部２２５または第２固定部２１１及び前記第２連結部２２５全部前記基板３００の第２側壁３２０の全体長さ分だけ、あるいは、その一部分の分だけ延長される。
【００５６】
図１０は本発明のさらに他の実施例による収納容器の斜視図である。
【００５７】
図１０に示すように、底部１００のうち基板を収納する第１領域１１０に収納溝が形成される。収納溝１３０の形状は基板３００の形状に対応する。例えば、基板３００が厚さを有する長方形プレート形状を有する場合、収納溝１３０は平面から見たとき、長方形形状に形成され、収納溝１３０は基板３００の厚さに対応する深さを有する。
【００５８】
収納溝１３０によって底部１００及び底部１００と略平行である基板３００の間の段差が減少される。従って、底部１００に対する外部の衝撃がある場合、収納容器１０は外部の衝撃に対して基板３００を保護する。また、収納容器１０が傾いても、収納容器に形成された収納溝１３０によって基板３００の滑りが防止される。
【００５９】
前記収納部２００は第１支持部２１０及び第２支持部２２０を含む。前記第１支持部２１０及び第２支持部２２０は前記収納溝１３０の上部エッジから前記収納溝１３０の中心部に延長される。前記第１及び第２支持部２１０、２２０は線形、または本発明の目的を達成するための形状であるといずれでもよいのである。図１０に示されたように、前記第１及び第２支持部２１０、２２０は前記基板３００を前記収納溝１３０に堅固に固定させる限り、どんな形状でもよいのである。
【００６０】
図１０において、前記収納部２００は収納溝の長さ方向側部の中心に配置されているが、前記収納部２００は長さ方向側部の任意の位置に配置される。他の実施例においては、収納溝の長さ方向に沿って複数個の収納部２００を形成するようにしてもよい。
【００６１】
（回路基板の収納方法）
図１１は本発明のさらに他の実施例による基板の収納方法を示すための断面図である。
【００６２】
図３及び図１１に示すように、基板３００の第１側面３１０及び第１支持部２１０の第１連結部２１５の内側面の間は互いに離隔され、以下、基板の第１側面３１０及び第１支持部２１０の第１連結部２１５の内側面の間の相互離隔距離を第１幅Ｗ１として定義する。一方、第２固定部２２１は基板３００の一部と重畳され、以下、第２固定部２２１の端部から基板３００の第２側面３２０までの重畳距離を第２幅Ｗ２として定義する。第１幅Ｗ１は第２幅Ｅ２以上であることが望ましい。
【００６３】
基板３００を収納部２００に結合するために、まず、基板３００の第２側面３２０をスライディングさせ第２側面３２０を第２支持部２２０に挿入する。基板３００の第２側面３２０を第２支持部２２０の第２連結部２２５の内側面に接するように挿入することが望ましい。続いて、基板３００の第１側面３１０をスライディングさせ第１側面３１０を第１支持部２１０に挿入する。それにより、基板３００は収納容器１０に搭載される。
【００６４】
一方、基板３００の第１側面３１０が第１支持部２１０に先に挿入された後、基板の第２側面３２０が第２支持部２２０に挿入され、基板３００は収納容器１０に搭載される。
【００６５】
（表示装置）
図１２は本発明のさらに他の実施例による表示装置の斜視図である。図１３は図１２に示された表示装置の分解斜視図である。図１４は図１３に示された表示装置のＩＩ−ＩＩ’線に沿って切断した断面図である。
【００６６】
図１２乃至図１４に示すように、本実施例による表示装置２０は表示パネル４００、プリント回路基板５００、及び収納容器６００を含む。選択的に、表示装置２０は、表示パネル４００とプリント回路基板５００とを電気的に連結させるフレキシブル回路基板７００をさらに含む。
【００６７】
表示パネル４００は外部から駆動信号の印加を受け画像を表示する。表示パネル４００は第１基板４１０、第２基板４２０及び液晶層を含む。
【００６８】
第１基板４１０はマトリックス形状に配置された画素電極、前記各画素電極に駆動電圧を印加する薄膜トランジスタ及び前記薄膜トランジスタＴＦＴをそれぞれ作動させるための信号線を含む。前記信号線の端部には外部から電気的信号の印加を受けるためのパッドが配置される。
【００６９】
第２基板４２０は第１基板４１０に対向して配置される。第２基板４２０は第１基板４２０の面積より相対的に小さい面積を有する。第２基板４２０は共通電極及びカラーフィルターパターンを含むことができる。
【００７０】
共通電極は第１基板に形成された前記画素電極に対向する。相互対向する共通電極及びそれぞれの画素電極に印加される電圧によって共通電極と画素電極との間に電気場が形成される。これとは異なり、共通電極は第１基板上に配置される。
【００７１】
カラーフィルターパターンは第１基板に形成されたそれぞれの画素電極と対向して、第２基板上に配置される。一方、カラーフィルターパターンは第１基板上に配置される。
【００７２】
液晶層は第１基板４１０と第２基板４２０との間に介在される。前記画素電極と前記共通電極との間に形成される電気場によって液晶層の液晶分子は再配列する。従って、第１基板４１０または第２基板４２０を介して入射される光の液晶層に対する光透過率が変更される。
【００７３】
プリント回路基板５００は表示パネル４００に電気的に連結され表示パネル４００を駆動させる駆動信号を発生する。
【００７４】
プリント回路基板５００は、例えば、長方形プレート形状を有する。長方形プレート形状を有するプリント回路基板は底面及び底面に対向する上部面を含み、プリント回路基板５００は底面と上部面とを連結する第１側面５１０、第１側面５１０に対向する第２側面５２０、第１側面と第２側面とを連結させる第３側面５３０及び第４側面５４０をさらに含む。
【００７５】
収納容器６００は第１面６０１及び前記第１面６０１に対向する第２面６０２を含む。本実施例において収納容器６００は第１面６０１にプリント回路基板５００を支持、搭載し、収納容器６００は第２面６０２に表示パネル４００を支持、搭載する。
【００７６】
収納容器６００は第１面６０１に底部６１０及び収納部６２０を含む。
【００７７】
第１底部６１０は基板３００を収納する第１領域６１１及び第１領域６１１を取り囲む第２領域６１２を含む。第１領域６１１の面積はプリント回路基板５００の面積と実質的に同一であることが望ましい。例えば、プリント回路基板５００の形状が平面から見たとき長方形の場合、第１領域６１１の形状も長方形である。
【００７８】
収納部６２０は第１底部６１０上に配置され、プリント回路基板５００を収納する。収納部６２０は第１支持部６２１及び第２支持部６２６を含む。
【００７９】
第１支持部６２１は第２領域６１２から第１領域６１１に突出される。第１支持部６２１はプリント回路基板５００の第１側面５１０を支持する。第１支持部６２１は第１側面５１０の中央に対応して形成することが望ましい。第１支持部６２１は第１固定部６２２及び第１連結部６２４を含む。
【００８０】
第1固定部６２２は第１底部６１０に対して実質的に平行に配置される。第１固定部６２２はプリント回路基板の第１側面５１０の周辺を加圧する。従って、第１固定部６２２はプリント回路基板５００のずれを防止する。
【００８１】
第１連結部６２４は第１固定部６２２を第１底部６１０に連結させる。第１連結部６２４は第１及び第２領域６１１、６１２の境界に隣接して配置される。第１連結部６２４は第１底部６１０に対して実質的に垂直に形成される。本実施例において、第１支持部６２１は‘Ｌ’字形状を有する。
【００８２】
図１２乃至図１４に示されてはいないが、第１支持部６２１の第１固定部６２２はプリント回路基板５００に対向する面に第１結合部を含み、プリント回路基板５００は第１結合部と結合される第２結合部を含むことができる。
【００８３】
第１結合部が第１固定部の下部面から収納容器の第１底部に向かって突出された結合突起の場合、第２結合部は結合突起に対応しプリント回路基板に形成された結合溝であり得る。これに限らず、第１結合部が第１固定部の下部面からリセスされた結合溝の場合、第２結合部は結合溝に対応し、プリント回路基板に形成された結合突起であることがあり得る。
【００８４】
第２支持部６２６は第２領域６１２から第１領域６１１に突出される。第２支持部６２６は基板の第２側面５２０を支持する。本実施例において、第２支持部６２６は第２固定部６２７及び第２連結部６２９を含む。
【００８５】
第２固定部６２７は第１底部６１０に対して実質的に平行に配置される。第２固定部６２７はプリント回路基板５００の第２側面５２０の周辺を加圧する。従って、第２固定部６２７はプリント回路基板５００のずれを防止する。
【００８６】
第２連結部６２９は第２固定部６２７を第１底部６１０に連結させる。第２連結部６２９は第１及び第２領域６１１、６１２の境界に隣接して配置される。第２連結部６２９は第１底部６１０に対して略垂直に形成される。従って、第２支持部６２６は‘Ｌ’字形状を有する。
【００８７】
また、第２連結部６２９はプリント回路基板５００の第２側面５２０と平行に配置される。従って、第２固定部６２７はプリント回路基板５００の第２側面５２０の長さと実質的に同一の長さを有する。
【００８８】
本実施例において、第１及び第２支持部６２１、６２６は互いに向き合うように配置される。従って、第１支持部６２１が第１側面５１０の中央に対応して配置される場合、第２支持部６２６も第２側面５２０の中央に対応して配置される。互いに向き合う第１及び第２支持部６２１、６２６によって収納部６２０はプリント回路基板５００を堅固に支持、搭載することができる。
【００８９】
これとは異なり、第１及び第２支持部６２１、６２６はそれぞれ複数個からなり、互いに向き合うように配置される。それに限らず、第１及び第２支持部６２１、６２６はそれぞれ複数個からなり、互いに交互的に配置される。
【００９０】
収納容器６００は第１面６０１に対向する第２面６０２に表示パネル４００を支持、搭載する。
【００９１】
収納容器６００は第２面６０２に第２底部６３０及び側壁６４０を含む。側壁６４０は第２底部６３０の周辺部から表示パネル４００が配置される方向に突出される。従って、第２底部６３０及び側壁６４０によって収納容器は表示パネル４００を収納する収納領域を形成する。
【００９２】
側壁の一部には段差が形成される。側壁の段差は表示パネル４００を支持する。
【００９３】
フレキシブル回路基板７００はプリント回路基板５００上に電気的に連結するための配線及び絶縁層を含み、折曲の可能なフレキシブルな物質からなる。フレキシブル回路基板７００の一側は表示パネル４００の第１基板４１０に電気的に連結され、他側はプリント回路基板５００と電気的に連結される。従って、プリント回路基板５００から発生した駆動信号はフレキシブル回路基板７００を介して表示パネルの第１基板４１０に印加される。
【００９４】
フレキシブル回路基板７００、プリント回路基板５００及び収納容器６００の結合関係は次のようである。  
【００９５】
プリント回路基板５００と連結されたフレキシブル回路基板７００は収納容器６００の一側壁を取り囲みながら第１面６０１に向かって折曲され、それにより、プリント回路基板５００は収納容器６００の第１底部６１０上に配置される。このとき、プリント回路基板５００の第２側面５２０が第２支持部６２０に向かってスライディングされ、プリント回路基板の第２側面５２０は第２支持部６２０に支持され、以後、プリント回路基板の第１側面５１０が第１支持部６１０に向かってスライディングされ支持される。従って、プリント回路基板５００は第１底部６１０の第１領域６１１内に支持、搭載される。
【００９６】
本実施例による、表示装置２０は表示パネル４００に光を提供するためのバックライト組立体８００をさらに含む。
【００９７】
バックライト組立体８００は、ランプユニット８１０、光学ユニット８３０、及びモールドフレーム８５０を含むことができる。
【００９８】
ランプユニット８１０はランプ８１１及びランプ反射板８１３を含んで表示パネル４００に提供される光を発生させる。
【００９９】
光学ユニット８３０は導光板８３１及び光学シート類８３３、８３５、８３７を含む。
導光板８３１は、例えば、四角プレート形状を有し、機械的強度が高くて、耐化学性の優れ、透明で可視光線に対する透過率の優秀なプラスチック物質から形成される。導光板８３１は一側面を通じてランプユニット８１０から光の入射を受ける。
【０１００】
光学シート類８３３、８３５、８３７は反射シート８３３、拡散シート８３５及びプリズムシート８３７を含み、光学シート類８３３、８３５、８３７はランプユニット３１０から発生された光の光学的特性を向上させる。
【０１０１】
反射シート８３３は収納容器２７０の第２底部６３０と導光板８３１との間に配置され第２底部６３０に漏洩される光を再度導光板８３１側に反射する。また、拡散シート８３５は導光板８３１と表示パネル４００との間に配置され導光板８３１から出射された光を拡散させる。プリズムシート８３７は拡散シート８３５と導光板８３１との間に配置され拡散シート８３５から出射された光を反射と屈折を通じて光の底部に対する垂直方向の輝度を向上させる。
【０１０２】
モールドフレーム８５０はランプユニット８１０及び光学ユニット８３０を収納する。
【０１０３】
本実施例による表示装置２０は収納容器６００に収納された表示パネル４００を保護し収納容器６００から離脱されることを防止するために、表示パネル４００の上部で収納容器６００と結合されるトップシャーシ（図示せず）をさらに含むことができる。
【０１０４】
図１３及び図１４に示すように、本実施例による表示装置の組立順序を説明する。
【０１０５】
まず、収納６００にモールドフレーム８５０を収納し反射シート８３３及び導光板８３１を順序に収納する。次に、導光板８３１とモールドフレーム８５０の一側壁の間にランプユニット８１０を配置する。続いて、導光板８３１上に拡散シート８３５及びプリズムシート８３７を配置する。
【０１０６】
以後、表示パネル４００をモールドフレーム８５０の側壁に配置する。このとき、表示パネル４００に連結されたフレキシブル回路基板７００は収納容器６００の一側壁に沿って第１底部６１０に向かって折曲され、その結果、フレキシブル回路基板７００に連結されたプリント回路基板５００は収納６００の第１底部６１０上に配置される。
【０１０７】
以後、第１底部６１０に形成された第１及び第２支持部６２１、６２６がプリント回路基板２５０の第１及び第２側面５１０、５２０をそれぞれ収納し、プリント回路基板５００は第１底部６１０の所定の位置に固定され表示装置２０の組立が完成する。
【０１０８】
前述した表示装置によると、プリント回路基板の固定のためにスクリューを使用しないので表示装置のプリント回路基板の組み立て工程段階でスクリュー締結工程段階の数が減少され表示装置の組立工程の生産性が向上される。
【産業上の利用可能性】
【０１０９】
以上、詳細に説明されたように、本発明によると、回路基板を収納容器に支持、搭載するためにスクリューを使用せず、収納容器の底部上に配置され第１支持部及び第２支持部を含む収納部によって回路基板が収納容器に支持、搭載される。
【０１１０】
従って、表示装置の組立工程段階で、スクリュー締結工程の数が減少され組立作業時間が短縮され、容易に組立することができる表示装置を提供することができる。  
【０１１１】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【０１１２】
【図１】本発明の一実施例による収納容器の斜視図である。
【図２】図１で示された収納容器をI−I’線に沿って切断した断面図である。
【図３】図２のＡ領域を拡大した断面図である。
【図４】本発明の他の実施例による収納容器の斜視図である。
【図５】本発明のさらに他の実施例による収納容器の斜視図である。
【図６】本発明のさらに他の実施例による収納容器の斜視図である。
【図７】本発明のさらに他の実施例による収納容器の斜視図である。
【図８】本発明のさらに他の実施例による収納容器の斜視図である。
【図９】本発明のさらに他の実施例による収納容器の斜視図である。
【図１０】本発明のさらに他の実施例による収納容器の斜視図である。
【図１１】本発明の一実施例による基板の収納方法を示すための断面図である。
【図１２】本発明の一実施例による表示装置の斜視図である。
【図１３】図１１に示された表示装置の分解斜視図である。
【図１４】図１３に示された表示装置をII−II’線に沿って切断した断面図である。
【符号の説明】
【０１１３】
収納容器      １０
表示装置      ２０
底部      １００
第１領域    １１０
第２領域    １２０
収納部      ２００
第１支持部      ２１０
第１固定部      ２１１
第１連結部      ２１５
第２支持部      ２２０
第２連結部      ２２５
基板      ３００
表示パネル      ４００
第１基板      ４１０
第２基板      ４２０
プリント回路基板      ５００
収納容器      ６００
第１領域      ６１１
第２領域      ６１２
第１支持部      ６２１
第１固定部      ６２２
第２支持部      ６２６
第２固定部      ６２７
フレキシブル回路基板      ７００
バックライトアセンブリ      ８００
ランプユニット      ８１０
光学ユニット      ８３０  
モールドフレーム      ８５０
【図１】
2006222424.tif 000003
【図２】
2006222424.tif 000004
【図３】
2006222424.tif 000005
【図４】
2006222424.tif 000006
【図５】
2006222424.tif 000007
【図６】
2006222424.tif 000008
【図７】
2006222424.tif 000009
【図８】
2006222424.tif 000010
【図９】
2006222424.tif 000011
【図１０】
2006222424.tif 000012
【図１１】
2006222424.tif 000013
【図１２】
2006222424.tif 000014
【図１３】
2006222424.tif 000015
【図１４】
2006222424.tif 000016